【事件の表示】
　特許第３０５９９４６号「ＩＣソケット」の請求項１ないし４に係る特許に対する特許異議の申立てについて、次のとおり決定する。
【結　論】
　訂正を認める。
　特許第３０５９９４６号の請求項１ないし３に係る特許を維持する。
【理　由】
１、手続の経緯
　本件特許第３０５９９４６号に係る発明は、平成９年５月１日に特許出願したものであって、平成１２年４月２１日に特許権の設定登録がされ、特許異議申立人・田島　亮よりその全請求項に係る特許に対して特許異議の申立てがなされ、平成１３年６月２８日付けで取消理由が通知された後、平成１３年９月７日に訂正請求がなされたものである。
　
２、訂正の適否
イ、訂正の内容
［訂正事項ａ］
　願書に添付した明細書（以下、「特許明細書」という。）の【請求項１】の記載、
「【請求項１】ソケット本体の上面に沿い移動可に設けた移動板を備え、移動板の移動によりソケット本体が保有するコンタクトとＩＣの外部接点部材との接触と接触解除状態を形成するようにしたＩＣソケットにおいて、上記移動板をソケット本体の対角線上のコーナ部へ向け斜動可に設けて上記接触と接触解除状態を形成するように構成したことを特徴とするＩＣソケット。」
を、
「【請求項１】ソケット本体の上面に沿い移動可に設けた移動板を備え、移動板の移動によりソケット本体が保有するコンタクトとＩＣの外部接点部材との接触と接触解除状態を形成するようにしたＩＣソケットにおいて、上記移動板をソケット本体の対角線上のコーナ部へ向け斜動可に設けて上記接触と接触解除状態を形成するように構成し
、上記移動板の上記対角線上のコーナ部に継手を一体に突設し、該継手の上記斜動軌跡と平行な側面にレバーを伝達軸を以って枢支すると共に、同レバーを支軸を以ってＩＣソケット本体のコーナ部側面に上下回動可に枢支し、上記操作レバーの下方回動により上記伝達軸が上記移動板のコーナ部に傾動力を付与する構成とし
と訂正する。（下線部は訂正個所を示す。以下、同じ。）
　
［訂正事項ｂ］
　特許明細書の【請求項２】の記載、
「【請求項２】ソケット本体の上面に沿い移動可に設けた移動板を備え、移動板の移動によりソケット本体が保有するコンタクトとＩＣの外部接点部材との接触と接触解除状態を形成するようにしたＩＣソケットにおいて、上記移動板をソケット本体の辺に対し傾斜角を以って斜動するように設けて上記接触と接触解除状態を形成するように構成したことを特徴とするＩＣソケット。」
を、
「【請求項２】ソケット本体の上面に沿い移動可に設けた移動板を備え、移動板の移動によりソケット本体が保有するコンタクトとＩＣの外部接点部材との接触と接触解除状態を形成するようにしたＩＣソケットにおいて、上記移動板をソケット本体の辺に対し傾斜角を以って斜動するように設けて上記接触と接触解除状態を形成するように構成し
、上記移動板の上記対角線上のコーナ部に継手を一体に突設し、該継手の上記斜動軌跡と平行な側面にレバーを伝達軸を以って枢支すると共に、同レバーを支軸を以ってＩＣソケット本体のコーナ部側面に上下回動可に枢支し、上記操作レバーの下方回動により上記伝達軸が上記移動板のコーナ部に斜動力を付与する構成とし
と訂正する。
　
［訂正事項ｃ］
　特許明細書の【請求項４】を削除する。
　
［訂正事項ｄ］
　特許明細書の【００１０】欄の記載、
「【００１０】
　又上記コンタクトをその弾性接片が上記移動板の斜動方向において弾性変位するよう配置し、上記移動板のコーナ部に斜動力を付与して上記斜動方向へ上記弾性接片を変位させる構成とする。」
を、
「【００１０】
　又上記コンタクトをその弾性接片が上記移動板の斜動方向において弾性変位するよう配置し、上記移動板のコーナ部に斜動力を付与して上記斜動方向へ上記弾性接片を変位させる構成とする。
　
即ち上記移動板の上記対角線上のコーナ部に継手を一体に突設し、該継手の上記斜動軌跡と平行な側面に伝達軸を以って枢支すると共に、同レバーを支軸を以ってＩＣソケット本体のコーナ部側面に上下回動可に枢支し、上記操作レバーの下方回動により上記伝達軸が上記移動板のコーナ部に斜動力を付与する構成とする。
と訂正する。
　
ロ、訂正の目的の適否、新規事項の有無及び拡張・変更の存否
［訂正事項ａについて］
　訂正事項ａは、特許明細書記載の請求項１に、「
移動板の上記対角線上のコーナ部に継手を一体に突設し、該継手の上記斜動軌跡と平行な側面にレバーを伝達軸を以って枢支すると共に、同レバーを支軸を以ってＩＣソケット本体のコーナ部側面に上下回動可に枢支し、上記操作レバーの下方回動により上記伝達軸が上記移動板のコーナ部に傾動力を付与する構成
　
　そして、「上記移動板の上記対角線上のコーナ部に継手を一体に突設し」た点は、特許明細書の【００３７】欄に、「継手の上記斜動軌跡と平行な側面にレバーを伝達軸を以って枢支すると共に、同レバーを支軸を以ってＩＣソケット本体のコーナ部側面に上下回動可に枢支」した点は、特許明細書の【００３７】欄、【００３８】欄、【００３９】欄に、「操作レバーの下方回動により上記伝達軸が上記移動板のコーナ部に傾動力を付与」する点は、特許明細書の【００４６】欄、【００５１】欄に記載されているから、訂正事項ａは特許明細書に記載されていた事項の範囲内においてした訂正である。
　
　また、訂正事項ａに係る訂正事項は、特許明細書の【００５４】欄記載の、「本発明によれば、格子状に配列したコンタクト２の各列をソケット本体１の辺と平行に配する構成を採って限定された大きさのソケット本体に対するコンタクトの高密度配置を可能としつつ、各コンタクトの弾性接片の弾性変位スペースを充分に確保することができ、ＩＣ外部接点の狭ピッチ化にソケット本体を大形化せずに有効に対処できる。」という本件に係る発明の課題ないし効果に変更を及ぼすものではないから、実質上特許請求の範囲を拡張し又は変更するものではない。
　
［訂正事項ｂについて］
　訂正事項ｂは、特許明細書記載の請求項２に、「
移動板の上記対角線上のコーナ部に継手を一体に突設し、該継手の上記斜動軌跡と平行な側面にレバーを伝達軸を以って枢支すると共に、同レバーを支軸を以ってＩＣソケット本体のコーナ部側面に上下回動可に枢支し、上記操作レバーの下方回動により上記伝達軸が上記移動板のコーナ部に傾動力を付与する構成
　
　そして、「上記移動板の上記対角線上のコーナ部に継手を一体に突設し」た点は、特許明細書の【００３７】欄に、「継手の上記斜動軌跡と平行な側面にレバーを伝達軸を以って枢支すると共に、同レバーを支軸を以ってＩＣソケット本体のコーナ部側面に上下回動可に枢支」した点は、特許明細書の【００３７】欄、【００３８】欄、【００３９】欄に、「操作レバーの下方回動により上記伝達軸が上記移動板のコーナ部に傾動力を付与」する点は、特許明細書の【００４６】欄、【００５１】欄に記載されているから、訂正事項ｂは特許明細書に記載されていた事項の範囲内においてした訂正である。
　
　また、訂正事項ｂに係る訂正事項は、特許明細書の【００５４】欄記載の、「本発明によれば、格子状に配列したコンタクト２の各列をソケット本体１の辺と平行に配する構成を採って限定された大きさのソケット本体に対するコンタクトの高密度配置を可能としつつ、各コンタクトの弾性接片の弾性変位スペースを充分に確保することができ、ＩＣ外部接点の狭ピッチ化にソケット本体を大形化せずに有効に対処できる。」という本件に係る発明の課題ないし効果に変更を及ぼすものではないから、実質上特許請求の範囲を拡張し又は変更するものではない。
　
［訂正事項ｃについて］
　訂正事項ｃは、特許明細書の【請求項４】を削除するものであるから、特許請求の範囲の減縮を目的とするものである。
　
［訂正事項ｄについて］
　訂正事項ｄは、上記訂正事項ａ、ｂ、ｃに示す請求項に係る訂正に伴って必要となった特許明細書の【００１０】欄の【課題を解決するための手段】の記載を上記訂正後の請求項の記載と整合させるものであるから、明りょうでない記載の釈明を目的とするものであり、上記［訂正事項ａについて］において述べた理由と同じ理由により特許明細書に記載されていた事項の範囲内においてした訂正であって、実質上特許請求の範囲を拡張し又は変更するものではない。
　
　以上のとおりであるから、本件訂正請求は、特許法第１２０条の４第２項に規定する事項を目的とするものであり、特許法第１２０条の４第３項で準用する特許法第１２６条第２、３項の規定に適合するので、当該訂正を認める。
　
　
３、特許異議申立についての判断
　
イ、本件発明
　本件に係る発明についてした訂正請求は、上記２のとおりの理由で認められるものであるから、本件に係る発明は、訂正請求書に添付した訂正明細書の特許請求の範囲の請求項１ないし３に記載された以下のとおりのものである。（以下、それぞれ「本件発明１ないし３」という。）
　
【請求項１】ソケット本体の上面に沿い移動可に設けた移動板を備え、移動板の移動によりソケット本体が保有するコンタクトとＩＣの外部接点部材との接触と接触解除状態を形成するようにしたＩＣソケットにおいて、上記移動板をソケット本体の対角線上のコーナ部へ向け斜動可に設けて上記接触と接触解除状態を形成するように構成し
、上記移動板の上記対角線上のコーナ部に継手を一体に突設し、該継手の上記斜動軌跡と平行な側面にレバーを伝達軸を以って枢支すると共に、同レバーを支軸を以ってＩＣソケット本体のコーナ部側面に上下回動可に枢支し、上記操作レバーの下方回動により上記伝達軸が上記移動板のコーナ部に傾動力を付与する構成とし
　
【請求項２】ソケット本体の上面に沿い移動可に設けた移動板を備え、移動板の移動によりソケット本体が保有するコンタクトとＩＣの外部接点部材との接触と接触解除状態を形成するようにしたＩＣソケットにおいて、上記移動板をソケット本体の辺に対し傾斜角を以って斜動するように設けて上記接触と接触解除状態を形成するように構成し
、上記移動板の上記対角線上のコーナ部に継手を一体に突設し、該継手の上記斜動軌跡と平行な側面にレバーを伝達軸を以って枢支すると共に、同レバーを支軸を以ってＩＣソケット本体のコーナ部側面に上下回動可に枢支し、上記操作レバーの下方回動により上記伝達軸が上記移動板のコーナ部に斜動力を付与する構成とし
　
【請求項３】上記コンタクトをその弾性接片が上記移動板の斜動方向において弾性変位するよう配置したことを特徴とする請求項１又は２記載のＩＣソケット。
　
ロ、特許異議申立の理由の概要
　特許異議申立人・田島　亮は、証拠方法として、
　甲第１号証（特開昭５８−５９５７４号公報）
　甲第２号証（特公平６−３０２８０号公報）
　甲第３号証（特公平３−６６７８７号公報）
を提示し、本件発明１ないし３に係る特許は、特許法第２９条第１項第３号或いは特許法第２９条第２項の規定に違反して特許されたものであるから取り消されるべき旨主張している。
　
ハ、甲各号証記載の発明
　
［甲第１号証］
　甲第１号証には、その３頁右上欄３行〜１０行に、「（電気接続に用いられるソケットにおいて、）カムプラグ３４を押し下げると、プレート２６の端部３８に当接している頭部３６の側面３７は端部３８のカム面に当接しながら下方へ摺動し、これによりプレート２６は図示左方へスライドし、その結果当接片２８がスプリング端子１２の上端をピン２０から離れる方向へ押し、スプリング端子１２の上端部１８はピン端子２０から離れ、ピン端子２０は自由状態となる。」
と記載され、
　第１〜３図には上記記載に沿った機能を有するソケットの態様について図示されているものと認められる。
　
［甲第２号証］
　甲第２号証には、その１頁左下欄３〜１１行に、
「接続器本体に移動板を備え、該移動板を移動操作する操作レバーを備え、該操作レバーの操作による移動板の移動にて接触状態と接触解除状態を形成するようにした接続器において、上記操作レバーの上位に配置された上下動可能な上部操作部材を有し、上記操作レバーは該上部操作部材を支承する受圧部を有し、上記操作部材が押下げられることにより該受圧部を押圧しレバーを押下げ移動板を横動させるようにしたことを特徴とする接続器。」
と記載され、
　第１〜４図には上記記載に沿った機能を有する接続器について図示されているものと認められる。
　
［甲第３号証］
　甲第３号証には、その１頁１欄２〜１３行に、
「ＩＣリード挿通孔群と、該ＩＣリード挿通孔群下位に対応し配列された格子状配列のＩＣリード接触用コンタクト群とを備えた外形が略方形のＩＣソケットにおいて、上記ＩＣリード挿通孔群とＩＣリード接触用コンタクト群の各列を上記ＩＣソケットの各辺に対し傾斜して配置すると共に、上記ＩＣリード挿通孔群及びＩＣリード接触用コンタクト群の格子状配列パターンの対角線上に各コンタクトの接片部が配置され、該コンタクトの接触又は解除のための接片部の変位が上記対角線方向でなされる構成としたことを特徴とする格子配列形ＩＣパッケージ用ソケット。」
と記載され、
　第１図には上記記載に沿った機能を有するソケットについて図示されているものと認められる。
　
ニ、対比・判断
　
ａ，本件発明１について
　本件発明１と甲第１号証記載の発明とを対比すると、甲第１号証記載の「プレート２６」は本件発明１の「移動板」に、以下、同様に「スプリング端子１２」は「ソケット本体が保有するコンタクト」に、「ピン２０」は「ＩＣの外部接点部材」に、それぞれ相当し、かつ甲第１号証の第１〜３図の記載からみて甲第１号証記載の「プレート２６」はソケット本体の対角線上のコーナ部へ向け斜動可に設けてあることは当業者において明らかであることを考慮すると、
両者は、
「ソケット本体の上面に沿い移動可に設けた移動板を備え、移動板の移動によりソケット本体が保有するコンタクトとＩＣの外部接点部材との接触と接触解除状態を形成するようにしたＩＣソケットにおいて、上記移動板をソケット本体の対角線上のコーナ部へ向け斜動可に設けて上記接触と接触解除状態を形成するように構成し、
移動板のコーナ部に傾動力を付与する構成
である点で一致し、
　
Ａ，本件発明１が「
移動板の上記対角線上のコーナ部に継手を一体に突設し、該継手の上記斜動軌跡と平行な側面にレバーを伝達軸を以って枢支すると共に、同レバーを支軸を以ってＩＣソケット本体のコーナ部側面に上下回動可に枢支し、上記操作レバーの下方回動により上記伝達軸が上記移動板のコーナ部に傾動力を付与する構成
で相違する。
　
　そこで、相違点Ａについて検討すると、甲第２、３号証に記載された発明は、いずれも移動板が対角線方向に傾動するものではなく、ソケット本体に平行に移動するものである。
　したがって、甲第２、３号証記載の発明は、本件発明１と基本的な構成が相違し、本件発明１の上記相違点Ａに係る構成について記載も示唆もないから、甲第２、３号証に記載された発明を甲第１号証記載の発明に適用しても本件発明１が容易に想到できるとは認められない。
　異議申立人は、甲第３号証には傾動する移動板が記載されている旨主張する。しかし、確かにＩＣそのものに対しては甲第３号証記載の移動板は傾動することとなるが、これはＩＣ自体が傾斜して設置されているためであり、甲第３号証の第１図から明らかなように無駄となるスペースが大きく、結果としてソケット自体も大きくなるものであるから、本件発明１に係る上記相違点Ａに係る構成が容易には導き出せるものではない。
　
　そして、本件発明１は、上記相違点Ａに係る構成（
移動板の上記対角線上のコーナ部に継手を一体に突設し、該継手の上記斜動軌跡と平行な側面にレバーを伝達軸を以って枢支すると共に、同レバーを支軸を以ってＩＣソケット本体のコーナ部側面に上下回動可に枢支し、上記操作レバーの下方回動により上記伝達軸が上記移動板のコーナ部に傾動力を付与する構成
　なお、甲第１号証記載の発明は、「カムプラグ３４を押し下げると、プレート２６の端部３８に当接している頭部３６の側面３７は端部３８のカム面に当接しながら下方へ摺動し、これによりプレート２６は図示左方へスライド」するようなものであって、側面３７はその断面が円形であり、プレート２６の端部３８は円弧状又は直線であるから、結局、両者は点接触となり本件発明１のような線接触による円滑な傾動力は期待し難いものである。
　
　以上のとおりであるから、本件発明１は、上記相違点Ａに係る構成を有し、それによって、上記効果を奏し得るものであるから、甲第１号証に記載された発明であるとも、甲第１〜３号証記載の発明に基づいて当業者が容易に発明をすることができたものとも認めることはできない。
　
ｂ，本件発明２について
　本件発明２と甲第１号証記載の発明とを対比すると、甲第１号証記載の「プレート２６」は本件発明２の「移動板」に、以下、同様に「スプリング端子１２」は「ソケット本体が保有するコンタクト」に、「ピン２０」は「ＩＣの外部接点部材」に、それぞれ相当し、かつ甲第１号証の第１〜３図の記載からみて甲第１号証記載の「プレート２６」はソケット本体の対角線上のコーナ部へ向け斜動可に設けてあることは当業者において明らかであり、かつ、その点は本件発明２の「移動板をソケット本体の辺に対し傾斜角を以って斜動するように設けて上記接触と接触解除状態を形成するように構成」した点を包含する構成であることを考慮すると、
両者は、
「ソケット本体の上面に沿い移動可に設けた移動板を備え、移動板の移動によりソケット本体が保有するコンタクトとＩＣの外部接点部材との接触と接触解除状態を形成するようにしたＩＣソケットにおいて、上記移動板をソケット本体の辺に対し傾斜角を以って斜動するように設けて上記接触と接触解除状態を形成するように構成し、
移動板のコーナ部に傾動力を付与する構成
である点で一致し、
　
Ｂ，本件発明１が「
移動板の上記対角線上のコーナ部に継手を一体に突設し、該継手の上記斜動軌跡と平行な側面にレバーを伝達軸を以って枢支すると共に、同レバーを支軸を以ってＩＣソケット本体のコーナ部側面に上下回動可に枢支し、上記操作レバーの下方回動により上記伝達軸が上記移動板のコーナ部に傾動力を付与する構成
で相違する。
　
　そこで、相違点Ｂについて検討すると、甲第２、３号証に記載された発明は、いずれも移動板が対角線方向に傾動するものではなく、ソケット本体に平行に移動するものである。
　したがって、甲第２、３号証記載の発明は、本件発明２と基本的な構成が相違し、本件発明２の上記相違点Ｂに係る構成について記載も示唆もないから、甲第２、３号証に記載された発明を甲第１号証記載の発明に適用しても本件発明２が容易に想到できるとは認められない。
　異議申立人は、甲第３号証には傾動する移動板が記載されている旨主張する。しかし、確かにＩＣそのものに対しては甲第３号証記載の移動板は傾斜角を以って傾動することとなるが、これはＩＣ自体が傾斜して設置されているためであり、甲第３号証の第１図から明らかなように無駄となるスペースが大きく、結果としてソケット自体も大きくなるものであるから、本件発明２に係る上記相違点Ａに係る構成が容易には導き出せるものではない。
　
　そして、本件発明２は、上記相違点Ｂに係る構成（
移動板の上記対角線上のコーナ部に継手を一体に突設し、該継手の上記斜動軌跡と平行な側面にレバーを伝達軸を以って枢支すると共に、同レバーを支軸を以ってＩＣソケット本体のコーナ部側面に上下回動可に枢支し、上記操作レバーの下方回動により上記伝達軸が上記移動板のコーナ部に傾動力を付与する構成
　なお、甲第１号証記載の発明は、「カムプラグ３４を押し下げると、プレート２６の端部３８に当接している頭部３６の側面３７は端部３８のカム面に当接しながら下方へ摺動し、これによりプレート２６は図示左方へスライド」するようなものであって、側面３７はその断面が円形であり、プレート２６の端部３８は円弧状又は直線であるから、結局、両者は点接触となり本件発明１のような線接触による円滑な傾動力は期待し難いものである。
　
　以上のとおりであるから、本件発明２は、上記相違点Ｂに係る構成を有し、それによって、上記効果を奏し得るものであるから、甲第１号証に記載された発明であるとも、甲第１〜３号証記載の発明に基づいて当業者が容易に発明をすることができたものとも認めることはできない。
　
ｃ，本件発明３について
　本件発明３は、本件発明１又は２を引用しているものであるから、上記ａ，ｂにおいて検討した理由と同じ理由により、甲第１号証に記載された発明であるとも、甲第１〜３号証記載の発明に基づいて当業者が容易に発明をすることができたものとも認めることができない。
　
　
４、むすび
　以上のとおりであるから、本件発明１ないし３についての特許は、特許異議申立ての理由及び証拠によっては取り消すことはできない。。
　さらに、他に本件発明１ないし３についての特許を取り消すべき理由を発見しない。
　よって、結論のとおり決定する。
【異議決定日】
平成１３年１０月３０日（２００１．１０．３０）
【訂正の要旨】
［訂正事項ａ］
　願書に添付した明細書（以下、「特許明細書」という。）の【請求項１】の記載、
「【請求項１】ソケット本体の上面に沿い移動可に設けた移動板を備え、移動板の移動によりソケット本体が保有するコンタクトとＩＣの外部接点部材との接触と接触解除状態を形成するようにしたＩＣソケットにおいて、上記移動板をソケット本体の対角線上のコーナ部へ向け斜動可に設けて上記接触と接触解除状態を形成するように構成したことを特徴とするＩＣソケット。」
を、
「【請求項１】ソケット本体の上面に沿い移動可に設けた移動板を備え、移動板の移動によりソケット本体が保有するコンタクトとＩＣの外部接点部材との接触と接触解除状態を形成するようにしたＩＣソケットにおいて、上記移動板をソケット本体の対角線上のコーナ部へ向け斜動可に設けて上記接触と接触解除状態を形成するように構成し
、上記移動板の上記対角線上のコーナ部に継手を一体に突設し、該継手の上記斜動軌跡と平行な側面にレバーを伝達軸を以って枢支すると共に、同レバーを支軸を以ってＩＣソケット本体のコーナ部側面に上下回動可に枢支し、上記操作レバーの下方回動により上記伝達軸が上記移動板のコーナ部に傾動力を付与する構成とし
と訂正する。（下線部は訂正個所を示す。以下、同じ。）
［訂正事項ｂ］
　特許明細書の【請求項２】の記載、
「【請求項２】ソケット本体の上面に沿い移動可に設けた移動板を備え、移動板の移動によりソケット本体が保有するコンタクトとＩＣの外部接点部材との接触と接触解除状態を形成するようにしたＩＣソケットにおいて、上記移動板をソケット本体の辺に対し傾斜角を以って斜動するように設けて上記接触と接触解除状態を形成するように構成したことを特徴とするＩＣソケット。」
を、
「【請求項２】ソケット本体の上面に沿い移動可に設けた移動板を備え、移動板の移動によりソケット本体が保有するコンタクトとＩＣの外部接点部材との接触と接触解除状態を形成するようにしたＩＣソケットにおいて、上記移動板をソケット本体の辺に対し傾斜角を以って斜動するように設けて上記接触と接触解除状態を形成するように構成し
、上記移動板の上記対角線上のコーナ部に継手を一体に突設し、該継手の上記斜動軌跡と平行な側面にレバーを伝達軸を以って枢支すると共に、同レバーを支軸を以ってＩＣソケット本体のコーナ部側面に上下回動可に枢支し、上記操作レバーの下方回動により上記伝達軸が上記移動板のコーナ部に斜動力を付与する構成とし
と訂正する。
［訂正事項ｃ］
　特許明細書の【請求項４】を削除する。
［訂正事項ｄ］
　特許明細書の【００１０】欄の記載、
「【００１０】
　又上記コンタクトをその弾性接片が上記移動板の斜動方向において弾性変位するよう配置し、上記移動板のコーナ部に斜動力を付与して上記斜動方向へ上記弾性接片を変位させる構成とする。」
を、
「【００１０】
　又上記コンタクトをその弾性接片が上記移動板の斜動方向において弾性変位するよう配置し、上記移動板のコーナ部に斜動力を付与して上記斜動方向へ上記弾性接片を変位させる構成とする、
　
即ち上記移動板の上記対角線上のコーナ部に継手を一体に突設し、該継手の上記斜動軌跡と平行な側面に伝達軸を以って枢支すると共に、同レバーを支軸を以ってＩＣソケット本体のコーナ部側面に上下回動可に枢支し、上記操作レバーの下方回動により上記伝達軸が上記移動板のコーナ部に斜動力を付与する構成とする。
と訂正する。
（５４）【発明の名称】
ＩＣソケット
（５７）【特許請求の範囲】
　【請求項１】ソケット本体の上面に沿い移動可に設けた移動板を備え、移動板の移動によりソケット本体が保有するコンタクトとＩＣの外部接点部材との接触と接触解除状態を形成するようにしたＩＣソケットにおいて、上記移動板をソケット本体の対角線上のコーナ部へ向け斜動可に設けて上記接触と接触解除状態を形成するように構成し、上記移動板の上記対角線上のコーナ部に継手を一体に突設し、該継手の上記斜動軌跡と平行な側面にレバーを伝達軸を以って枢支すると共に、同レバーを支軸を以ってＩＣソケット本体のコーナ部側面に上下回動可に枢支し、上記操作レバーの下方回動により上記伝達軸が上記移動板のコーナ部に斜動力を付与する構成としたことを特徴とするＩＣソケット。
　【請求項２】ソケット本体の上面に沿い移動可に設けた移動板を備え、移動板の移動によりソケット本体が保有するコンタクトとＩＣの外部接点部材との接触と接触解除状態を形成するようにしたＩＣソケットにおいて、上記移動板をソケット本体の辺に対し傾斜角を以って斜動するように設けて上記接触と接触解除状態を形成するように構成し、上記移動板の上記対角線上のコーナ部に継手を一体に突設し、該継手の上記斜動軌跡と平行な側面にレバーを伝達軸を以って枢支すると共に、同レバーを支軸を以ってＩＣソケット本体のコーナ部側面に上下回動可に枢支し、上記操作レバーの下方回動により上記伝達軸が上記移動板のコーナ部に斜動力を付与する構成としたことを特徴とするＩＣソケット。
　【請求項３】上記コンタクトをその弾性接片が上記移動板の斜動方向において弾性変位するよう配置したことを特徴とする請求項１又は２記載のＩＣソケット。
【発明の詳細な説明】
　【０００１】
　【発明の属する技術分野】
　この発明は移動板の移動によりＩＣソケットとこれに搭載されるＩＣとの接触及び解除状態を形成するようにしたＩＣソケットに関する。
　【０００２】
　【従来の技術】
　特公平６−３０２８０号においては移動板をソケット本体の上面に沿いソケット本体の対向する二辺に対し平行に移動させて上記接触と接触解除状態を得る平行動方式を採っている。
　【０００３】
　他方コンタクトは、ＩＣの格子状に配列された外部接点と対応して格子状に配列し、各コンタクトの弾性接片を上記移動板の上記ソケット本体の辺と平行な平行動によって列方向（縦列方向又は横列方向）に弾性変位させ上記接触と接触解除を図っている。
　【０００４】
　然るにコンタクトを縦列と横列とに格子状に配置して、コンタクトの弾性接片を列方向において弾性変位させる場合にはコンタクト相互間の列方向の間隔が充分に確保できず、従って各コンタクトの弾性接片の変位量も充分に確保できず、ＩＣの外部接点及びコンタクトのピッチの狭小化に有効に対応できない問題点を有している。
　【０００５】
　他方特公平３−６６７８７号は上記格子状に配列したコンタクトの各列をソケット本体の各辺に対し斜めに配置し、各コンタクトの弾性接片を上記格子状配列パターンの対角線方向に変位させ、換言すると、上記各コンタクト列をソケット本体の辺に対し斜めに配向すると共に、各コンタクトの弾性接片をソケット本体の辺と平行に変位させ、接触と接触解除を図る提案をしている。
　【０００６】
　然るに、この先行例においては各コンタクトの上記対角線方向の間隔を確保し、この間隔において上記弾性接片の弾性変位量も充分に確保できる利点を有するが、方形のソケット本体に対しコンタクトの格子状配列パターンを斜めに配向した場合、このパターンの対角線の長さに応じた縦辺と横辺の長さを持ったソケット本体が必要となり、ソケット本体の大形化を招く。換言すると一定の大きさのソケット本体に収容できるコンタクトのピン数は大巾に減殺される。
　【０００７】
　又ソケット本体に対しＩＣを一定の回転角を以って斜めにし挿抜せねばならず、これに応じてＩＣを挿抜するロボットの設計変更も余儀なくされる。
　【０００８】
　【課題を解決するための手段】
　ソケット本体の上面に沿い移動可に設けた移動板を備え、該移動板の移動によりソケット本体が保有するコンタクトとＩＣの外部接点部材との接触と接触解除状態を形成するようにしたＩＣソケットにおいて、上記移動板をソケット本体の対角線上のコーナ部へ向け斜動可に設けて上記接触と接触解除状態を形成する。
　【０００９】
　換言すると上記移動板をソケット本体の辺に対し傾斜角を以って斜動するように設けて上記接触と接触解除状態を形成するように構成する。
　【００１０】
　又上記コンタクトをその弾性接片が上記移動板の斜動方向において弾性変位するよう配置し、上記移動板のコーナ部に斜動力を付与して上記斜動方向へ上記弾性接片を変位させる構成とする。
　即ち上記移動板の上記対角線上のコーナ部に継手を一体に突設し、該継手の上記斜動軌跡と平行な側面に伝達軸を以って枢支すると共に、同レバーを支軸を以ってＩＣソケット本体のコーナ部側面に上下回動可に枢支し、上記操作レバーの下方回動により上記伝達軸が上記移動板のコーナ部に斜動力を付与する構成とする。
　【００１１】
　【発明の実施の形態】
　以下本発明の実施形態例を図１乃至図１４に基いて詳述する。
　【００１２】
　図１乃至図４に示すように、１は外形が方形の絶縁材から成るソケット本体であり、該ソケット本体１は多数のコンタクト２を保有し、該コンタクト２はソケット本体１に縦列Ｙ２と横列Ｘ２とに格子状に配置し、且つ格子状に配置した縦列Ｙ２と横列Ｘ２のコンタクトの各列がソケット本体１の縦辺Ｙ１と横辺Ｘ１に対し平行に配置する。
　【００１３】
　他方ＩＣ４は多数の外部接点５を有し、該外部接点５は方形のＩＣ４の下面に縦列Ｙ４と横列Ｘ４とに格子状に配置され、且つ格子状に配置された外部接点５の縦列Ｙ４と横列Ｘ４とがＩＣ４の縦辺Ｙ４と横辺Ｘ４に対し平行に配置されている。
　【００１４】
　上記ソケット本体１の上面に沿い斜動可に設けた絶縁材から成る方形の移動板６を備える。この移動板５は図３、図４に示すように、一方向へ斜動することにより、ソケット本体１が保有するコンタクト２とＩＣ４の外部接点５との接触解除状態を形成し、他方への斜動により両者２，５の接触状態を形成する。
　【００１５】
　その一例は移動板６の斜動によってＩＣ４の外部接点５をコンタクト２の弾性接片に押し付け接触位置を得るように、ＩＣを移動板６と一緒に斜動させる接触形式である。
　【００１６】
　又他例は移動板６の移動によりコンタクト２の弾性接片を接触と接触解除位置に弾性変位させ、弾性接片の接触解除位置への変位時にＩＣの外部接点５を弾性接片の内側に介入し、同接触位置への変位により弾性接片を外部接点５の内面に弾力的に押し付ける接触形式である。
　【００１７】
　上記何れの接触形式においても、外部接点の側面に片当てする単一の弾性接片を備えたコンタクト、又は外部接点を弾力的に挟持する一対の弾性接片を備えたコンタクトの適用が可能であり、本発明においてはこれらの接触形式を適宜採用することができる。
　【００１８】
　図示の例においては、外部接点を一対の弾性接片３ａ，３ｂで弾力的に挟持する形式のコンタクト２を用い、又この弾性接片３ａ，３ｂを移動板６の斜動によって弾力的に開閉し、上記接触と接触解除を図る場合を代表例として示している。
　【００１９】
　他方ＩＣ４はＢＧＡ形ＩＣパッケージ、ＰＧＡ形ＩＣパッケージ等に代表され、前者は図１３、図１４に示すように、半田等から成るボール形の外部接点５を有し、後者は細いピン形の外部接点を有し、両外部接点５はＩＣ４の下面に格子状に配列し、縦列Ｙ５と横列Ｘ５の各コンタクト列が方形のＩＣ４の縦辺Ｙ４と横辺Ｘ４に夫々平行に配置されている。図示の例はＢＧＡ形ＩＣパッケージ用に形成されたＩＣソケットを代表例として示している。
　【００２０】
　上記コンタクト２はＩＣ４の外部接点５の格子状配列と対応して格子状に配列すると共に、縦列Ｙ２と横列Ｘ２の各コンタクト列がソケット本体１の縦辺Ｙ１と横辺Ｘ１に夫々平行となるように配置する。
　【００２１】
　上記コンタクト２はソケット本体１に植設され、該植設部からソケット本体１の上方へ並行に延ばされて外部接点５との接触に供される一対の弾性接片３ａ，３ｂを有すると共に、同植設部からソケット本体１の下方へ延ばされて配線回路基板との接続に供される雄端子８を有する。
　【００２２】
　上記両弾性接片３ａ，３ｂの基端部はその一側縁を連結する連結板７によって連結し、一方の弾性接片３ａの基端部から下方へ上記雄端子８を延設する。上記連結板７を形成した部位を前記コンタクト２の植設部とする。
　【００２３】
　上記コンタクト２は全体を金属板から打抜き曲げ加工して形成し、弾性接片３ａ，３ｂを打抜き板面において対向せしめると同時に、コンタクトの格子状配列パターンの対角線Ｆ方向へ弾性変位するように配向する。換言すると弾性接片３ａ，３ｂを上記対角線Ｆ上において正対するように配する。従って弾性接片３ａ，３ｂの板面（対向面）は対角線と直角又は直角に近い角度で交叉する。
　【００２４】
　上記コンタクト２の配置は弾性接片３ａ，３ｂを移動板６の斜動軌跡上において斜動方向へ弾性変位するように配置したことを意味する。
　【００２５】
　上記の通り、移動板６はソケット本体１の一方の対角線Ｆ上のコーナ部へ向け斜動可に設け、この斜動時に移動板６を一方の弾性接片３ａに作用させ、これを上記対角線Ｆ上において（移動板の斜動方向において）弾性変位させ弾性接片３ａ，３ｂを開閉する。
　【００２６】
　詳述すると、移動板６はＩＣ４の外部接点５及びコンタクト２に応じた格子状に配列されたコンタクト収容孔９を有し、上記ソケット本体１の上方へ立上げられた弾性接片３ａ，３ｂを上記コンタクト収容孔９内に受け入れる。１０は上記コンタクト収容孔９間を隔絶する絶縁隔壁である。
　【００２７】
　上記移動板６は方形の絶縁板からなり、上記コンタクト収容孔９は前記コンタクトの格子状配列と同じ格子状配列を以って配置し、該コンタクト収容孔９の縦列Ｙ２と横列Ｘ２とが移動板６の縦辺Ｙ３と横辺Ｘ３とに夫々平行に配列する。
　【００２８】
　上記移動板６にはコンタクト収容孔９内に収容された弾性接片３ａと３ｂの上端部間に介在する上部介在壁１１を移動板６と一体に設け、更にソケット本体１には弾性接片３ａ，３ｂの植設部から立上る基部を収容するコンタクト収容孔１２を設け、該収容孔１２内に収容された弾性接片３ａ，３ｂの基部間に介在する下部介在壁１３をソケット本体１と一体に設ける。
　【００２９】
　図７、図８に示すように上記弾性接片３ａ，３ｂは常態において、下部介在壁１３又は上部介在壁１１に当接し弾力を蓄えた状態に置かれる。即ちプリロードを蓄えた状態に置かれる。
　【００３０】
　上記上部介在壁１１と下部介在壁１３は弾性接片３ａ，３ｂ間に介在することにより、上記コンタクト収容孔９，１２を二分し、二分された各孔９ａ，１２ａ内に各弾性接片３ａ，３ｂを遊挿して各弾性接片挿通孔９ａ，１２ａ内において弾性変位可能とする。
　【００３１】
　各弾性接片挿入孔９ａ，１２ａを通して立上る各弾性接片３ａ，３ｂの先端部を上部介在壁１１の上方へ突出させ、この弾性接片３ａ，３ｂの先端部にて外部接点５を弾力的に挟持する加圧接触片１４ａ，１４ｂを形成する。
　【００３２】
　この加圧接触片１４ａ，１４ｂが存在する部位にＩＣ４のボール形外部接点５を収容する略円形のボール収容部１５を形成しボール形外部接点５を位置決めする。
　【００３３】
　ＩＣ４は移動板６の上面に載置され、上記ボール収容部１５内に収容される。このボール収容部１５を上記加圧接触片１４ａ，１４ｂ間の間隔と対応して配置する。ボール形外部接点５は図８に示す弾性接片３ａ，３ｂの先端面に載置し、移動板６が一方向へ斜動して弾性接片３ａ，３ｂをこの斜動方向に開いた時に、該弾性接片３ａ，３ｂ間にボール形外部接点５を落し込んで収容部１５に収容すると共に、ＩＣ４を移動板６の上面に支持する。
　【００３４】
　移動板６が他方向へ斜動して弾性接片３ａがこの斜動方向に復原することにより、両接片３ａ，３ｂ間に上記ボール形外部接点５を上記斜動方向において挟持する。
　【００３５】
　上記移動板６はソケットに具備させたレバー又は治具等の各種移動手段を用いて斜動力が与えられ、図面は移動板６の移動手段としてレバー１６，１７を備える場合を示している。
　【００３６】
　このレバー１６，１７の基本構造は特公平６−３０２８０号や特公平５−３２８７０号に示されており、図示の例においてはこの基本構造を利用しつつ、更に上記斜動力を適正に得るための改善を施したものである。
　【００３７】
　これを図示の例に従い詳述すると、ソケット本体１を箱形にして、方形の移動板収容部２０を形成し、この収容部２０内に移動板６を斜動可能に収容する。そしてこの移動板６の対角線Ｆ上の両コーナ部に継手１８，１９を一体に突設し、各継手１８，１９にレバー１６，１７を軸支する。継手１８，１９は対角線Ｆと平行な対向せる側面、換言すると移動板６の斜動軌跡と平行な対向せる側面２１，２２を持ち、該側面において上記レバー１６，１７を軸支する。
　【００３８】
　詳述すると図５等に示すように、一方のレバー１６の基端上部を支軸２３を以ってソケット本体１のコーナ部側面に枢支すると共に、同基端下部を伝達軸２４を以って上記移動板６の継手１８の側面２１に枢支し、該各枢支部からソケット本体１の側面に沿って延ばし、その先端に上向きの突部から成る受圧部２５を形成する。
　【００３９】
　同様に他方のレバー１７の基端上部を伝達軸２６を以って移動板６の継手１９の側面２２に枢支すると共に、同基端下部を支軸２７を以ってソケット本体１のコーナ部側面、即ち継手１９を収容せる移動板収容部２０のコーナ部内側面に枢支し、各枢支部から移動板６の側面に沿って延ばし、その先端に上向きの突部から成る受圧部２８を形成する。
　【００４０】
　一例として上記レバー１６を継手１８の対向する各側面２１に一対設け、同様にレバー１７を継手１９の対向する各側面に一対設ける。
　【００４１】
　又一例としてレバー１６は移動板６の継手１８に隣接する側面に沿って延在させつつ、更に継手１９に隣接する側面に沿って延在させ、同様にレバー１７は移動板６の継手１９に隣接する側面に沿って延在させつつ、更に継手１８に隣接する側面に沿って延在させる。従ってレバー１６，１７はＬ形を呈し移動板６のコーナ部を回り込むように該コーナ部を形成する二側面に沿って互いに逆向きに延在する。そしてレバー１６の受圧部２５を上記コーナ部を形成する二側面中の一側面中央部に配し、レバー１７の受圧部２８を同他側面中央部に配する。
　【００４２】
　上記レバー１６，１７は移動板収容部２０の内側面に沿って延在する。即ちレバー１６，１７は移動板６の外側面と収容部２０の内側面間のスペース内を各側面に沿い延在し、上記受圧部２５，２８を収容部２０の上部開口面より上方へ突出する。
　【００４３】
　上記ソケット本体１の上位に上部操作部材２９を上下動可に被装する。上部操作部材２９は方形枠体から成り、その枠壁３０を上記受圧部２５，２８上に載置し、該上部操作部材２９とソケット本体１間にはコイルバネ等の復帰用バネ３１を介在する。
　【００４４】
　上記操作部材２９はロボットや手指にて上記バネ３１の弾力に抗して押し下げられ、この操作部材２９の下降により受圧部２５，２８を押し下げてレバー１６，１７を下方へ回動せしめる。又該レバー１６，１７の上方回動時に受圧部２５，２８及びバネ３１により操作部材２９を上方へ押し上げる。上記レバー１６，１７の上方回動と下方回動により移動板６を往復斜動せしめる。
　【００４５】
　詳述すると、図３Ａ，Ｂ及び図７、図８に示すように、弾性接片３ａ，３ｂが上部介在壁１１又は下部介在壁１３の側面に当接して弾力を蓄えた状態、レバー１６，１７は上方回動した状態、上部操作部材２９は上方に押し上げられた状態に夫々置かれている。
　【００４６】
　次に図４Ａ，Ｂ及び図９、図１０に示すように、上記待機状態において、上部操作部材２９をロボット等により押し下げると受圧部２５，２８が押圧されてレバー１６，１７が下方回動し、レバー１６，１７が下方回動すると伝達軸２４，２６が移動板６に一方向への斜動力を与える。
　【００４７】
　この結果、図９、図１０に示すように移動板６はソケット本体１の対角線Ｆ上の一方のコーナ部へ向け斜動し、この斜動により上部介在壁１１がコンタクト２の弾性接片３ａを押圧して上記斜動方向へ弾性変位せしめ、この弾性変位により拡開した弾性接片３ａ，３ｂの加圧接触片１４ａ，１４ｂ間にＩＣ４のボール形外部接点５を無負荷で介入しつつ、収容部１５内に収容し位置決めする。
　【００４８】
　次に、図１１、図１２に示すように、上記上部操作部材２９に与えていた押下力を解除すると、弾性接片３ａがその復原力で上部介在壁１１を押圧しつつ斜動方向へ弾性変位し、弾性接片３ａ，３ｂの加圧接触片１４ａ，１４ｂ間にボール形外部接点５を加圧挟持する。
　【００４９】
　同時に上記弾性接片３ａがその復原力で上部介在壁１１を押圧することにより、移動板６をソケット本体１の他方コーナ部へ向け斜動し、この斜動により伝達軸２４，２６を介してレバー１６，１７に上方回動力が与えられ、このレバー１６，１７の上方回動により受圧部２５，２８が上部操作部材２９を押し上げる。バネ３１はこの押し上げを確実にするためのものである。
　【００５０】
　適例として上記移動板６はソケット本体１の辺Ｘ１に対し４５度方向に斜動せしめる。具体的には図示のように、移動板６とソケット本体１とを略正方形にし、上記４５度の斜動軌跡と対角線Ｆとを完全に一致させるように構成する。
　【００５１】
　又ソケット本体１又は移動板６を長方形にし、上記ソケット本体１の対角線Ｆと上記移動板６の斜動軌跡を完全に一致させずに移動板６を対角線Ｆ付近をソケット本体１のコーナ部へ向け斜動させる構成を採ることができる。
　【００５２】
　又上記移動板６の斜動角即ち傾斜角αは、ソケット本体１の辺Ｘ１に対し４５度以外の、例えば３０度乃至６０度の範囲にすることができる。換言すると移動板６はソケット本体１の横辺Ｘ１に対し、４５度又は４５度以外の傾斜角αを以って斜動せしめ、移動板６をソケット本体１のコーナ部へ向け斜動せしめる構成を含む。
　【００５３】
　そしてコンタクト２の弾性接片３ａ，３ｂは上記移動板６の斜動方向へ弾性変位できるように配向する。換言すると縦列Ｙ２と横列Ｘ２のコンタクト２の列をソケット本体１の縦辺Ｙ１と横辺Ｘ１と平行に配列しつつ、各コンタクト２の弾性接片３ａ，３ｂは上記横辺Ｘ１に対し傾斜角αを以って配置し上記移動板６の斜動方向へ弾性変位できるように配する。
　【００５４】
　本発明によれば、格子状に配列したコンタクト２の各列をソケット本体１の辺と平行に配する構成を採って限定された大きさのソケット本体に対するコンタクトの高密度配置を可能としつつ、各コンタクトの弾性接片の弾性変位スペースを充分に確保することができ、ＩＣ外部接点の狭ピッチ化にソケット本体を大形化せずに有効に対処できる。
【図面の簡単な説明】
　【図１】
　ＩＣソケットの平面図である。
　【図２】
　同側面図である。
　【図３】
　Ａは上記ＩＣソケットから上部操作部材を除去した状態の同ソケット平面図であり、移動板が一方向へ斜動した状態を示す図である。Ｂは上部操作部材を被装した状態のＩＣソケット断面図であり、移動板が一方向へ移動した状態を対角線上において断面して示す図である。
　【図４】
　Ａは上記ＩＣソケットから上部操作部材を除去した状態の同ソケット平面図であり、移動板が他方向へ斜動した状態を示す図である。Ｂは上部操作部材を被装した状態のＩＣソケット断面図であり、移動板が他方向へ移動した状態を対角線上において断面して示す図である。
　【図５】
　Ａ，Ｂはレバーと移動板の動作を説明する図４Ａにおける矢視方向ＥにおけるＩＣソケット断面図であり、Ａはレバーの上方回動状態、Ｂは同下方回動状態を示す。
　【図６】
　ボール形外部接点の収容部の拡大斜視図である。
　【図７】
　待機状態におけるコンタクトと移動板の要部平面図である。
　【図８】
　図７における対角線上の断面図である。
　【図９】
　移動板を一方向へ斜動しコンタクトを拡開した状態を示すコンタクトと移動板の要部平面図である。
　【図１０】
　図９における対角線上の断面図である。
　【図１１】
　移動板を他方向に斜動しコンタクトを閉方向に弾性復原してボール形外部接点を挟持した状態を示すコンタクトと移動板の要部平面図である。
　【図１２】
　図１０における対角線上の断面図である。
　【図１３】
　ＢＧＡ形ＩＣパッケージの側面図である。
　【図１４】
　上記ＩＣパッケージの底面図である。
　【符号の説明】
　　１　　　　　　　ソケット本体
　　２　　　　　　　コンタクト
　　３ａ，３ｂ　　　弾性接片
　　４　　　　　　　ＩＣ
　　５　　　　　　　外部接点
　　６　　　　　　　移動板
　１１　　　　　　　上部介在壁
　１３　　　　　　　下部介在壁
　１４ａ，１４ｂ　　加圧接触片
　１６，１７　　　　レバー
　２９　　　　　　　上記操作部材